(57)【要約】【課題】  車の移動においても安定的に配置され、持ち運びが簡便で、水周りに対しても十分配慮した鉢植えの観葉植物及びそれに用いられる植木鉢を提供する。【解決手段】  筒形状の水受け容器と、筒形状部及び錘状部を有する収納容器と、を有する植木鉢であって、収納容器の筒形状部は水受け容器と嵌めあわされ、かつ、車内のドリンクホルダーに設置可能なものとする。  また、筒形状の水受け容器と、筒形状部及び錘状部を有する収納容器と、を有する植木鉢であって、収納容器の前記筒形状部は前記水受け容器と嵌めあわされ、車内のドリンクホルダーに設置可能な植木鉢と、植木鉢の前記収納容器に充填される充填材と、充填材に支持される植物と、を有する鉢植えの観葉植物とする。【選択図】図１
0003160200.tif 000002
【実用新案登録請求の範囲】
【請求項１】
筒形状の水受け容器と、
筒形状部及び錘状部を有する収納容器と、を有する植木鉢であって、
前記収納容器の前記筒形状部は前記水受け容器と嵌めあわされ、かつ、
車内のドリンクホルダーに設置可能な植木鉢。
【請求項２】
前記収納容器の前記筒形状部の底部には孔が形成され、
前記収納容器の前記錘状部は、一部において、前記水受け容器の筒軸方向に沿った切欠面を有する請求項１記載の植木鉢。
【請求項３】
前記水受け容器の直径は、６０ｍｍ以上７０ｍｍ以下であり、
前記水受け容器と前記収納容器を組み合わせた場合の高さが、８０ｍｍ以上１２０ｍｍ以下であり、
前記水受け容器と前記収納容器を組み合わせた場合に、前記水受け容器の底面と前記収納容器の底面が５ｍｍ以上１５ｍｍ以下の範囲で空隙を形成する請求項１記載の植木鉢。
【請求項４】
前記水受け容器と、前記収納容器は、木材を含むプラスチックからなる請求項１記載の植木鉢。
【請求項５】
筒形状の水受け容器と、筒形状部及び錘状部を有する収納容器と、を有する植木鉢であって、前記収納容器の前記筒形状部は前記水受け容器と嵌めあわされ、車内のドリンクホルダーに設置可能な植木鉢と、
前記植木鉢の前記収納容器に充填される充填材と、
前記充填材に支持される植物と、を有する鉢植えの観葉植物。
【請求項６】
前記植木鉢において、前記収納容器の前記筒形状部の底部には孔が形成され、前記収納容器の前記錘状部は、一部において、前記水受け容器の筒軸方向に沿った切欠面を有する請求項５記載の鉢植えの観葉植物。
【請求項７】
前記植木鉢において、前記水受け容器の直径は、６０ｍｍ以上７０ｍｍ以下であり、前記水受け容器と前記収納容器を組み合わせた場合の高さが、８０ｍｍ以上１２０ｍｍ以下であり、前記水受け容器と前記収納容器を組み合わせた場合に、前記水受け容器の底面と前記収納容器の底面が５ｍｍ以上１５ｍｍ以下の範囲で空隙を形成する請求項５記載の鉢植えの観葉植物。
【請求項８】
前記植木鉢において、前記水受け容器と前記収納容器は、木材を含むプラスチックからなる請求項５記載の鉢植えの観葉植物。
【請求項９】
前記充填材は、木質プラスチックからなる複数のチップを含む請求項５記載の鉢植えの観葉植物。
【考案の詳細な説明】
【技術分野】
【０００１】  本考案は、植木鉢及び鉢植えの観葉植物に関し、より詳細には、車載用の植木鉢及び鉢植えの観葉植物に関する。
【背景技術】
【０００２】  観葉植物は葉の形状等を観賞するために育てられるものであって屋外だけでなく鉢植えにされオフィス等室内にも置かれていることが多い。【０００３】  ところで、近年の地球温暖化防止に関連して二酸化炭素排出を抑制しようとする様々な取り組みが企業規模だけではなく個人の生活においてもなされ始めている。【０００４】  この二酸化炭素排出の取り組みの一つとして、ビルやオフィスに植物の配置がある。植物、特に観葉植物は室内に置くことで二酸化炭素の吸収だけでなく、室内温度の上昇抑制や、室内の人間の気持ちを落ち着かせ雰囲気を和ませるといった効果がある。【０００５】  しかしながらこのような観葉植物は、オフィスといった室内で用いるのが通常であり、しかもその植物は一般的に容易に持ち運びできる大きさとはいえない。また、観葉植物が配置されているのは事務的な作業を行なうオフィスであるのが一般的で、二酸化炭素排出の主たる要因の一つと言われている車による活動に対して対応がなされているとはいえない。【０００６】  そこで、車に対する対応策として、例えば下記実用新案登録文献１乃至４が開示されている。
【先行技術文献】
【特許文献】
【０００７】
【特許文献１】特開平７−２６５１８４号公報
【特許文献２】実用新案登録第３０９３１６５号
【特許文献３】実用新案登録第３０３５５５０号
【特許文献４】特開２００４−１０６５８６号公報
【考案の概要】
【考案が解決しようとする課題】
【０００８】  しかしながら、上記文献は車に単に持ち込むだけのものであって、車の移動や車外への持ち運び、更には植物の水周りについては考慮されていない。【０００９】  そこで、本考案は、上記課題を解決し、車の移動においても安定的に配置され、持ち運びが簡便で、水周りに対しても十分配慮した鉢植えの観葉植物及びそれに用いられる植木鉢を提供することを目的とする。
【課題を解決するための手段】
【００１０】  上記課題を解決するための第一の観点に係る植木鉢は、筒形状の水受け容器と、筒形状部及び錘状部を有する収納容器と、を有する植木鉢であって、収納容器の筒形状部は水受け容器と嵌めあわされ、かつ、車内のドリンクホルダーに設置可能である。【００１１】  また、本発明の他の観点にかかる鉢植えの観葉植物は、筒形状の水受け容器と、筒形状部及び錘状部を有する収納容器と、を有する植木鉢であって、収納容器の筒形状部は水受け容器と嵌めあわされ、車内のドリンクホルダーに設置可能な植木鉢と、植木鉢の前記収納容器に充填される充填材と、充填材に支持される植物と、を有する。
【考案の効果】
【００１２】  以上、本考案により、車の移動においても安定的に配置され、持ち運びが簡便で、水周りに対しても十分配慮した鉢植えの観葉植物及びそれに用いられる植木鉢を提供することができる。
【図面の簡単な説明】
【００１３】
【図１】実施形態にかかる観葉植物の概略斜視図である。
【図２】実施形態に係る植木鉢の概略図である。
【図３】実施形態に係る植木鉢の水受け容器の概略図である。
【図４】実施形態に係る植木鉢の収納容器の概略図である。
【図５】車のドリンクホルダーに本観葉植物を配置した場合の概略を示す断面図である。
【考案を実施するための最良の形態】
【００１４】  以下、本考案の実施形態について図面を参照しつつ説明する。ただし、本考案は多くの異なる態様で実施することが可能であり、以下に示す実施形態に限定されるものではない。なお、本明細書においては同一又は同様の機能を有する部分には同一の符号を付し、その繰り返しの説明は省略する。【００１５】  図１は、本実施形態に係る鉢植えの観葉植物（以下「本観葉植物」という。）の概略斜視図である。本図で示すように、植木鉢１と、植木鉢１の収納容器３に充填される充填材４と、この充填材４により支持される植物５と、を有している。本観葉植物は、このような構成により、車の移動においても安定的に配置され、持ち運びが簡便で、水周りに対しても十分配慮したものとなっている。【００１６】  図２は、本実施形態に係る植木鉢１の概略斜視図であり、図３は、水受け容器２の概略図であり、図４は、収納容器３の概略図であり、図５は、車のドリンクホルダーに本観葉植物を配置した場合の概略を示す断面図である。これらの図で示すように、本植木鉢１は、筒形状の水受け容器２と、筒形状部３１及び錘状部３２を有する収納容器３と、を有し、収納容器３の筒形状部３１の底部３１１には孔３１１１が形成され、かつ、収納容器３の筒形状部３１は水受け容器２と嵌めあわされ、収納容器３の錘状部３２は、一部において、水受け容器２の筒軸方向に沿った切欠面３２１を有する。【００１７】  本実施形態において水受け容器２は、植物に与えられた水を受けるものであって、上記のとおり有底の筒形状となっている。本実施形態に係る水受け容器は、穴のない有底となっており、収納容器の植物に供給された水のうち、余剰の水分を貯めることができ、更に、車内のドリンクホルダーにおいて安定的に設置できる。このため、水受け容器２の水受け容器の直径（外径）は、この限りにおいて限定されるわけではないが、６０ｍｍ以上７０ｍｍ以下であることが好ましく、高さとしては収納容器との組み合わせの関係から、４０ｍｍ以上６０ｍｍ以下の範囲にあることが好ましい。なお水受け容器２は、筒形状である限りにおいて限定されず、断面が円の円筒形状であっても、断面が三角、四角、五角、六角等の多角形状の多角筒形状であってもよい。【００１８】  また水受け容器２の材質としては、限定されるわけではないが、木材を含むプラスチックであることは好ましい体形態である。ここで「木材を含むプラスチック」とは、プラスチックと木材とを混練して一体に形成されたプラスチックである。木材を含むプラスチックを用いることで、廃材を利用しつつ植物との一体感を伴うことができ、環境に配慮したものとすることができる。【００１９】  また本実施形態に係る収納容器（以下「本収納容器」という。）３は、筒形状部３１及び錘状部３２を有している。【００２０】  また本実施形態の円等形状部３１の外径は、上記の水受け容器２の断面と相似形であるが、その外径より水受け容器２の厚み分だけ外径が小さくなっている。また、本実施形態にかかる収納容器３の筒形状部３１の底部３１１には、孔３１１１が形成されている。このようにすることで、収納容器３の筒形状部３１を水受け容器２の内側に嵌め合わせることが可能となり、しかも孔３１１１を設け���ことで、植物に対して過剰となった水を筒形状部３１から水受け容器２に排出させることができる。なお、孔３１１１が設けられている場合、限定されるわけではないが、水受け容器２と収納容器３とを組み合わせた場合に、水受け容器２の底面と収納容器３の底面が５ｍｍ以上１５ｍｍ以下の範囲で空隙を形成していることが好ましい。５ｍｍ以上とすることで、過剰な水を植物から十分に分離させることができる一方、１５ｍｍ以下とすることで、不必要に重心を高くせず安定的に観葉植物を配置することができるといった効果がある。なお収納容器３も、上記水受け容器２と同様、筒形状である限りにおいて限定されず、断面が円の円筒形状であっても、断面が三角、四角、五角、六角等の多角形状の多角筒形状であってもよい。また孔を設けるか否か、設けた場合孔の形状をどのようにするか等については適宜調整が可能である。【００２１】  また、本実施形態において、収納容器３には、錘状部３２が設けられており、その一部において、水受け容器２の筒軸方向に沿った切欠面３２１を有する。錐状部３２は、上部から下部（筒状部側）に行くに従い径が小さくなる構造を有する部位であり、このような構造を有することで、枝の広がる植物であっても十分収容することができるようになるといった効果がある。また一般に、車内のドリンクホルダーは、ドア部分等いわゆる壁面に形成されていることが多いため、錐状部３２に切欠面を形成することで、本観葉植物を車内のドリンクホルダーに配置した場合であっても、ドリンクホルダーが配置される車内の壁面等によって不安定な配置となることの防止、車の振動等の影響による植木鉢の揺れや回転の防止ができるといった効果がある。なお、錘状部３２の下部と上部の径の差としては、限定されるわけではないが、１０ｍｍ以上２５ｍｍ以下の範囲内であることが好ましい。この範囲に抑えることで観葉植物を安定的に配置することができるようになる。また「切欠面」とは、筒形状部の軸方向に対し平行な面で錘状部を切った場合における当該錘状部における面をいうが、切欠面３２１を設ける場合、この切欠面は軸に完全に平行な面であっても良いことはもちろんであるが、軸に対する多少の傾きや曲面は許容されるものであり、切欠面における上部と下部の膨らみの差は４ｍｍ以下の範囲であれば十分許容範囲であり、より好ましくは３ｍｍ以下である。また、錐状部３２の断面形状としては、限定されるわけではないが、切欠面が形成されていない場合（基本形）を想定した場合において、その基本形は円形状であってもよく、断面が三角、四角、五角、六角等の多角形状の多角形状であってもよい。【００２２】  また、本実施形態に係る、収納容器３の材質も、上記水受け容器２と同様、限定されるわけではないが、木材を含むプラスチックであることは好ましい体形態である。木材を含むプラスチックを用いることで、廃材を利用しつつ植物との一体感を伴うことができ、環境に配慮したものとすることができる。【００２３】  また、本観葉植物は、水受け容器と収納容器を組み合わせた場合の高さが、８０ｍｍ以上１２０ｍｍ以下であることが好ましい。【００２４】  また本実施形態おいて、配置する植物は、どのように扱うかにより様々な��のを採用することができ、特に限定されるわけではないが、長期間車内に設置したままにする場合は、乾燥に強い多肉植物・サボテン等が好ましいが、植物の棘等安全面の観点からは棘の無いものであることが好ましい。【００２５】  また本実施形態において、充填材４は、収納容器３内に充填され、植物を支持するものである。充填材としては、特に限定されるわけではないが、木質プラスチックからなる複数のチップであることは好ましい一例である。このようにすることで、車内に土埃などを蔓延させてしまうおそれがなくなるとともに、水はけも良くなり、更には廃材を利用しつつ植物との一体感を伴うことができ、環境に配慮したものとすることができるといった利点がある。【００２６】  以上、本考案により、車の移動においても安定的に配置され、持ち運びが簡便で、水周りに対しても十分配慮した鉢植えの観葉植物及びそれに用いられる植木鉢を提供することができる。
【産業上の利用可能性】
【００２７】  本考案は、鉢植え及び鉢植えされた観葉植物として産業上利用可能性がある。
【符号の説明】
【００２８】１…植木鉢、２…水受け容器、３…収納容器、４…充填材、５…植物
【図１】
0003160200.tif 000003
【図２】
0003160200.tif 000004
【図３】
0003160200.tif 000005
【図４】
0003160200.tif 000006
【図５】
0003160200.tif 000007